(57)【要約】【課題】本発明は、端末装置識別子を有している移動端末装置の動作方法に関する。【解決手段】移動端末装置を用いて通信網を介して送出された、通信網の参加装置への緊急通報に対応して、移動端末装置の現在の位置及び／又は端末装置識別子に割り当てられている人物識別子が、通信網を介して参加装置に自動的に送信される。本発明はさらに、対応する移動端末装置、緊急通報システムの動作方法、緊急通報システム及びコンピュータプログラムに関する。【選択図】図５
2018113685.tif 000002
【特許請求の範囲】
【請求項１】
端末装置識別子を有している移動端末装置（２０１，５０３）の動作方法であって、
前記移動端末装置（２０１，５０３）を用いて通信網を介して送出された、前記通信網の参加装置（４０３）への緊急通報に対応して、前記移動端末装置（２０１，５０３）の現在の位置及び／又は前記端末装置識別子に割り当てられている人物識別子が、前記通信網を介して前記参加装置（４０３）に自動的に送信される（１０１）、
端末装置識別子を有している移動端末装置（２０１，５０３）の動作方法。
【請求項２】
前記緊急通報の送信後、前記通信網を介した前記端末装置と前記参加装置（４０３）との間の通信接続が保持される、請求項１に記載の方法。
【請求項３】
前記移動端末装置（２０１，５０３）は、カメラ、例えばビデオカメラを含み、前記カメラは、前記緊急通報の送信後、画像、例えば動画を記録する、請求項１又は２に記載の方法。
【請求項４】
前記画像は、前記移動端末装置（２０１，５０３）によって、自動的に、又は、手動でのイネーブル化後にはじめて、前記参加装置（４０３）に前記通信網を介して送信される、請求項３に記載の方法。
【請求項５】
前記移動端末装置（２０１，５０３）は、マイクを含み、前記緊急通報が送信された後に、当該マイクによって、自動的に、又は、手動でのイネーブル化後にはじめて、前記移動端末装置（２０１，５０３）の周囲の音が記録され、
前記記録に対応するオーディオデータが、前記通信網を介して前記参加装置（４０３）に送信される、請求項１から４までのいずれか１項に記載の方法。
【請求項６】
前記緊急通報の送信後、前記移動端末装置（２０１，５０３）によって、ブロードキャスト緊急通報が前記通信網を介して及び／又は別の通信網を介して送信され、
前記ブロードキャスト緊急通報は、前記現在の位置及び／又は前記端末装置識別子及び／又は前記人物識別子を含む、請求項１から５までのいずれか１項に記載の方法。
【請求項７】
前記通信網は、私的な通信網である、請求項１から６までのいずれか１項に記載の方法。
【請求項８】
請求項１から７までいずれか１項に記載の方法を実施するように構成されている、移動端末装置（２０１，５０３）。
【請求項９】
通信網を介してアクセス可能な参加装置（４０３）を有している緊急通報システムの動作方法であって、
端末装置識別子を有している移動端末装置（２０１，５０３）から前記通信網を介して前記参加装置（４０３）へ送出された緊急通報が、前記参加装置（４０３）によって受信された後に、前記移動端末装置（２０１，５０３）からの、前記移動端末装置（２０１，５０３）の現在の位置及び／又は前記端末装置識別子に割り当てられている人物識別子が、前記参加装置（４０３）によって受信される（３０１）、
通信網を介してアクセス可能な参加装置（４０３）を有している緊急通報システムの動作方法。
【請求項１０】
前記移動端末装置（２０１，５０３）の前記現在の位置の受信時に、前記移動端末装置（２０１，５０３）の周囲が、前記移動端末装置（２０１，５０３）とは別の監視装置（５０９，５１１）によって監視される、請求項９に記載の方法。
【請求項１１】
前記監視装置（５０９，５１１）は、１つ又は複数の監視要素を含み、前記監視要素は、センサ、例えばビデオセンサ（５０９）、衛星（５１１）を含む、請求項１０に記載の方法。
【請求項１２】
前記移動端末装置（２０１，５０３）の前記現在の位置の受信時に、前記移動端末装置（２０１，５０３）の周囲が、例えば街灯（５０７）を含む、前記移動端末装置（２０１，５０３）とは別の照明装置（５０７）によって照明される、請求項９から１１までのいずれか１項に記載の方法。
【請求項１３】
前記移動端末装置（２０１，５０３）は、前記緊急通報の送信後に、前記通信網を介して及び／又は別の通信網を介してブロードキャスト緊急通報を送信し、
前記ブロードキャスト緊急通報は、前記現在の位置及び／又は前記端末装置識別子及び／又は前記人物識別子を含み、
前記緊急通報に関係し、かつ、前記ブロードキャスト緊急通報の１つ又は複数の受信装置から前記通信網の前記参加装置（４０３）に前記通信網を介して送信された情報が前記参加装置（４０３）によって受信される、請求項９から１２までのいずれか１項に記載の方法。
【請求項１４】
前記参加装置（４０３）は、前記移動端末装置（２０１，５０３）によって送信されたデータを記憶し、当該データは、例えば、緊急通報、オーディオデータ、ビデオデータ、動画、位置、端末装置識別子、人物識別子を含む、請求項９から１３までのいずれか１項に記載の方法。
【請求項１５】
請求項９から１４までのいずれか１項に記載の方法を実施するように構成されている、
緊急通報システム（４０１）。
【請求項１６】
コンピュータ上で実行されるときに、請求項１から７及び／又は請求項９から１４のいずれか１項に記載の方法を実施するためのプログラムコードを含む、
コンピュータプログラム。
【発明の詳細な説明】
【技術分野】
【０００１】
従来技術
独国特許出願公開第１０２０１３２２５３２５号明細書（ＤＥ１０２０１３２２５３２５Ａ１）は、緊急通報システムの動作方法を開示している。
【先行技術文献】
【特許文献】
【０００２】
【特許文献１】独国特許出願公開第１０２０１３２２５３２５号明細書
【発明の概要】
【発明が解決しようとする課題】
【０００３】
発明の開示内容
本発明の課題は、移動端末装置を用いて、通信網を介して送出された緊急通報に効率的に対応するための効率的な構想を提供することである。
【課題を解決するための手段】
【０００４】
上述の課題は、独立請求項の各構成要件によって解決される。本発明の有利な構成は、各従属請求項の構成要件である。
【０００５】
ある態様においては、端末装置識別子を有している移動端末装置の動作方法が提供される。ここでは、移動端末装置を用いて通信網を介して送出された、通信網の参加装置への緊急通報に対応して、この移動端末装置の現在の位置及び／又は端末装置識別子に割り当てられている人物識別子が、通信網を介してこの参加装置に自動的に送信される。
【０００６】
さらに、ある態様においては、端末装置識別子を有している移動端末装置の動作方法を実施するように構成されている移動端末装置が提供される。
【０００７】
さらに、ある態様においては、通信網を介してアクセス可能な参加装置を有している緊急通報システムの動作方法が提供される。この方法においては、端末装置識別子を有している移動端末装置から通信網を介して参加装置へ送出された緊急通報が、この参加装置によって受信された後に、この移動端末装置からの、この移動端末装置の現在の位置及び／又は端末装置識別子に割り当てられている人物識別子が、参加装置によって受信される。
【０００８】
別の態様においては、緊急通報システムが提供される。この緊急通報システムは、通信網を介してアクセス可能な参加装置を有している緊急通報システムの動作方法を実施するように構成されている。
【０００９】
さらに、ある態様においては、コンピュータプログラムが提供される。このコンピュータプログラムは、コンピュータ上で、例えば移動端末装置乃至通信網の参加装置上で実行されるときに、端末装置識別子を有している移動端末装置の動作方法及び／又は通信網を介してアクセス可能な参加装置を有している緊急通報システムの動作方法を実施するためのプログラムコードを含む。
【００１０】
本発明は、緊急通報の送信後に、自動的に、移動端末装置が、この移動端末装置の現在の位置乃至端末装置識別子に割り当てられている人物識別子を、この緊急通報が送信された通信網の参加装置に送信することによって、上述の課題が解決されるという見識に基づいている。これによって、参加装置は、通信網を介して重要な情報を得る。この情報によって、参加装置乃至参加装置の運営者又は参加装置の使用者は、効率的に緊急通報に対応することができる。
【００１１】
即ち、これによって、移動端末装置によって通信網を介して送出された緊急通報に効率的に対応するための効率的な構想が提供されるという技術的な利点が生じる。
【００１２】
本明細書においては、通信網の参加装置は、特に端末装置、例えば別の移動端末装置を表す、乃至、例えばネットワークサーバを表す。
【００１３】
通信網の参加装置は、例えば、監督機関によって運営される。本明細書においては、監督機関は、例えば警察、消防隊、又は、例えば救急隊である。
【００１４】
本明細書においては、人物識別子は、例えば発信者データを含む。発信者データは、例えば、この移動端末装置が登録されている人の名前、この移動端末装置が登録されている人の電子アドレス帳に記載されている連絡人の名前、及び／又は、この移動端末装置が登録されている人のヘルスデータを含む。
【００１５】
端末装置識別子は、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。
【００１６】
緊急通報の送信後に自動的に、現在の位置乃至人物識別子が参加装置に送信されることは、特に次のことを意味している。即ち、このために手動の入力又は人物の確認が不要であることを意味している。
【００１７】
ある実施形態においては、通信網は、無線通信網及び／又は有線通信網を含む。
【００１８】
無線通信網は、例えば、移動無線通信網及び／又はＷＬＡＮ通信網を含む。
【００１９】
ある実施形態においては、緊急通報の送信後、通信網を介した端末装置と参加装置との間の通信接続が保持される。
【００２０】
これによって、例えば、参加装置が効率的にさらなる情報を端末装置から通信接続を介して得ることができるという技術的な利点が生じる。しかも、事前に再度、対応する接続を形成する必要はない。このような接続の形成には、通常時間を要する。
【００２１】
ある実施形態においては、通信接続の保持は、端末装置によって開始される。
【００２２】
別の実施形態においては、通信接続の保持は、参加装置によって開始される。
【００２３】
別の実施形態においては、移動端末装置は、カメラ、例えばビデオカメラを含む。このカメラは、緊急通報の送信後、画像、例えば動画を記録する。
【００２４】
これによって、例えば、端末装置の周囲の視覚的な情報が、参加装置に効率的に提供されるという技術的な利点が生じる。
【００２５】
本明細書においては、移動端末装置は、例えば携帯電話である。
【００２６】
本明細書においては、移動端末装置は、例えば「スマートウォッチ」である。
【００２７】
ある実施形態においては、画像は、移動端末装置によって、自動的に、又は、手動でのイネーブル化後にはじめて、参加装置に通信網を介して送信される。
【００２８】
これによって、例えば、上述した手動でのイネーブル化の設定時には、記録された画像をどうするのかに関して、移動端末装置の使用者が制御することができるという技術的な利点が生じる。
【００２９】
画像の自動送信の設定時には、例えば、移動端末装置の使用者による移動端末装置の操作がもはや不可能である場合にも、対応する視覚的な情報が参加装置に提供されるという技術的な利点が生じる。このような状況は、例えば、移動端末装置の使用者に意識が無い場合に生じ得る。
【００３０】
ある実施形態においては、緊急通報の送信後、移動端末装置によって、ブロードキャスト緊急通報が、上述した通信網を介して及び／又は別の通信網を介して送信される。ここで、このブロードキャスト緊急通報は、現在の位置及び／又は端末装置識別子及び／又は人物識別子を含む。
【００３１】
本明細書においては、ブロードキャスト緊急通報は、特に、同時通報緊急通報を表している。
【００３２】
これによって、例えば、自身のその時々の別の移動端末装置を介して、このブロードキャスト緊急通報を受信した人物が、移動端末装置の人物を救助しに駆けつけることができるという技術的な利点が生じる。
【００３３】
ある実施形態においては、移動端末装置は、自身の現在の位置を、位置センサ、例えばＧＰＳセンサを使用して特定する。
【００３４】
ある実施形態においては、移動端末装置は、自身の現在の位置を、ＷＬＡＮ測位に基づいて、乃至、移動無線測位に基づいて、特定する。
【００３５】
即ち、移動端末装置の現在の位置は、移動端末装置によって、例えば移動端末装置自身によって特定されたものである。
【００３６】
ある実施形態においては、移動端末装置は、位置センサ、例えばＧＰＳセンサを含む。
【００３７】
ある実施形態においては、通信網は、公的な通信網及び／又は私的な通信網を含む。
【００３８】
私的な通信網は、特に、個人によって又は民間企業によって運営されている通信網を表している。
【００３９】
公的な通信網は、特に、官業又は都市によって運営されている通信網を表している。
【００４０】
私的な通信網においては、例えば、この私的な通信網の個々の参加装置に私的なＩＰアドレスが与えられている。
【００４１】
ある実施形態においては、通信網は私的な通信網である。
【００４２】
ある実施形態においては、移動端末装置は、通信インタフェースを含む。この通信インタフェースは、緊急通報を、通信網を介して、通信網の参加装置に送出するように構成されている。
【００４３】
ある実施形態においては、移動端末装置の通信インタフェースは、通信網を介して、この移動端末装置の現在の位置乃至人物識別子を、参加装置に送信するように構成されている。
【００４４】
ある実施形態においては、移動端末装置の現在の位置の受信時に、移動端末装置の周囲が、移動端末装置とは別の監視装置によって監視される。
【００４５】
これによって、例えば、移動端末装置の周囲に関するさらなる情報、ひいては緊急通報を送出した利用者に関するさらなる情報を効率的に検出することができるという技術的な利点が生じる。
【００４６】
ある実施形態においては、緊急通報が送信された通信網の参加装置は、監視装置を遠隔制御する。
【００４７】
ある実施形態においては、遠隔制御のために、例えば遠隔制御命令が、通信網を介して監視装置に送信される。
【００４８】
ある実施形態においては、監視装置は、１つ又は複数の監視要素を含み、当該監視要素は、センサ、例えばビデオセンサ、衛星を含む。
【００４９】
これによって、例えば、周囲を効率的に監視することができるという技術的な利点が生じる。
【００５０】
従って、例えば、周囲の、衛星によってサポートされた監視が可能になる。特に、周囲の、センサによってサポートされた監視が可能になる。特に、周囲のビデオ監視が可能になる。
【００５１】
センサは例えば、緊急通報を送出した移動端末装置の周囲にあるインフラストラクチャ要素に配置されている。インフラストラクチャ要素は、例えば建造物、街灯柱、信号設備又は交通標識である。
【００５２】
例えば、同等の構成を有している又は異なる構成を有している複数のセンサが設けられている。
【００５３】
本明細書においては、センサは、例えば、レーダーセンサ、超音波センサ、ライダーセンサ、レーザーセンサ、ビデオセンサ、特にビデオカメラのビデオセンサ、磁気センサ、赤外線センサのうちの１つである。
【００５４】
参加装置は付加的に、移動端末装置の周囲を監視することができ、この参加装置は、移動端末装置の現在の位置を認識しているので、この監視に対応した周囲データを参加装置に通信網を介して送信することができるセンサがこの移動端末装置の周囲に存在するか否かも認識している。
【００５５】
これに対応して、ある実施形態においては、センサは、移動端末装置の現在の位置の周囲において移動端末装置の位置を監視し、通信網を介してこの監視に対応した監視データを参加装置へ送信する。
【００５６】
ある実施形態においては、移動端末装置の現在の位置の受信時に、移動端末装置の周囲が、例えば街灯を含む、移動端末装置とは別の照明装置によって照明される。
【００５７】
例えばこのより良好な照明によって、例えばより良好な監視が可能になるという技術的な利点が生じる。特にこれによって、次のような技術的な利点が生じる。即ち、移動端末装置の現在の位置でこれが起こったときに、どのような状況が具体的に存在しており、どのような救助策が必要であるのかを、救助人が効率良く、視覚的に識別することができるという技術的な利点が生じる。
【００５８】
例えば、照明装置が起動される。即ち、例えば街灯が点灯される。
【００５９】
ある実施形態においては、移動端末装置が、緊急通報の送信後に、上述した通信網を介して及び／又は別の通信網を介して、現在の位置及び／又は端末装置識別子及び／又は人物識別子を含むブロードキャスト緊急通報を送信すると、この緊急通報に関係し、かつ、ブロードキャスト緊急通報の１つ又は複数の受信装置から通信網のこの参加装置に通信網を介して送信された情報が、参加装置によって受信される。
【００６０】
これによって、例えば、通信網の参加装置に、緊急通報に関係するさらなる情報が提供されるという技術的な利点が生じる。
【００６１】
このような情報は、例えば、ブロードキャスト緊急通報の受信装置のセンサデータ、特に画像データ、特にビデオデータを含む。
【００６２】
ブロードキャスト緊急通報の受信装置は、例えば、別の移動端末装置である。この別の端末装置は、例えば携帯電話である。
【００６３】
即ち、ある実施形態においては、ブロードキャスト緊急通報の受信装置は、自動的に自身のビデオカメラによって動画を記録し、この動画は、元来の緊急通報が送信された通信網の参加装置に自動的に送信される。
【００６４】
ある実施形態においては、緊急通報システムは、参加装置を含む。
【００６５】
ある実施形態においては、参加装置は、通信インタフェースを含む。この通信インタフェースは、移動端末装置によって送出された緊急通報を受信するように構成されている。
【００６６】
ある実施形態においては、参加装置の通信インタフェースは、移動端末装置の現在の位置乃至端末装置識別子に割り当てられている人物識別子を、移動端末装置から、通信網を介して受信するように構成されている。
【００６７】
ある実施形態においては、例えば、参加装置の緊急通報システムは、監視装置乃至照明装置を制御する制御装置を含む。
【００６８】
ある実施形態においては、緊急通報システムは、監視装置乃至照明装置を含む。
【００６９】
ある実施形態においては、緊急通報システムは、ブロードキャスト緊急通報の受信装置を含む。
【００７０】
表現「乃至」は特に、表現「及び／又は」を含む。
【００７１】
移動端末装置の技術的な機能性は、端末装置識別子を有している移動端末装置の動作方法の対応する技術的な機能性と表裏一体の関係にあり、また、端末装置識別子を有している移動端末装置の動作方法の技術的な機能性は、移動端末装置の対応する技術的な機能性と表裏一体の関係にある。
【００７２】
緊急通報システムの技術的な機能性は、通信網を介してアクセス可能な参加装置を有している緊急通報システムの動作方法の対応する技術的な機能性と表裏一体の関係にあり、また、通信網を介してアクセス可能な参加装置を有している緊急通報システムの動作方法の技術的な機能性は、緊急通報システムの対応する技術的な機能性と表裏一体の関係にある。
【００７３】
ある実施形態においては、端末装置識別子を有している移動端末装置の動作方法は、移動端末装置によって実施される。
【００７４】
ある実施形態においては、通信網を介してアクセス可能な参加装置を有している緊急通報システムの動作方法は、緊急通報システムによって実施される。
【００７５】
ある実施形態においては、受信された緊急通報に対応して、緊急サービス、例えば、警察及び／又は消防隊及び／又は医師及び／又は救助隊員が、移動端末装置の位置に送られる。
【００７６】
ある実施形態においては、移動端末装置は、マイクを含む。このマイクによって、緊急通報が送信された後に、自動的に、又は、手動でのイネーブル化後にはじめて、移動端末装置の周囲の音が記録される。ここで、この記録に対応するオーディオデータが、通信網を介して参加装置に送信される。
【００７７】
これによって、例えば、参加装置に周囲雑音を効率的に提供することができるという技術的な利点が生じる。
【００７８】
ある実施形態においては、参加装置は、移動端末装置から送信されたデータを記憶する。これらのデータは、例えば、緊急通報、オーディオデータ、ビデオデータ、動画、位置、端末装置識別子、人物識別子を含む。
【００７９】
これによって、例えば、これらのデータが後の時点でも使用可能であり、そのときに例えば分析を行うことができるという技術的な利点が生じる。これは例えば、検証を容易にする。
【００８０】
本発明を以下において、有利な実施例に基づいて詳細に説明する。
【図面の簡単な説明】
【００８１】
【図１】端末装置識別子を有している移動端末装置の動作方法のフローチャート。
【図２】移動端末装置。
【図３】通信網を介してアクセス可能な参加装置を有している緊急通報システムの動作方法のフローチャート。
【図４】緊急通報システム。
【図５】例示的な使用状況。
【発明を実施するための形態】
【００８２】
図１は、端末装置識別子を有している移動端末装置の動作方法のフローチャートを示している。
【００８３】
この方法においては、移動端末装置を用いて通信網を介して送出された、通信網の参加装置への緊急通報に対応して、自動的に、通信網を介して、移動端末装置の現在の位置及び／又は端末装置識別子に割り当てられている人物識別子が、参加装置に、ステップ１０１に従って送信される。
【００８４】
図２は、例えば携帯電話である移動端末装置２０１を示している。
【００８５】
移動端末装置２０１は、端末装置識別子を有している移動端末装置の動作方法を実施するように構成されている。
【００８６】
図３は、通信網を介してアクセス可能な参加装置を有している緊急通報システムの動作方法のフローチャートを示している。
【００８７】
この方法においては、通信網を介して、端末装置識別子を有している移動端末装置から参加装置に送出された緊急通報が参加装置によって受信された後、この移動端末装置からの、移動端末装置の現在の位置及び／又は端末装置識別子に割り当てられている人物識別子が、参加装置によって、ステップ３０１に従って受信される。
【００８８】
図４は、緊急通報システム４０１を含む参加装置４０３を示している。この参加装置は、通信網を介してアクセス可能である。
【００８９】
緊急通報システム４０１は、通信網を介してアクセス可能な参加装置を有している緊急通報システムの動作方法を実施するように構成されている。
【００９０】
図５は、本発明に係る構想の例示的な使用状況５００を示している。
【００９１】
人物５０１は、携帯電話５０３を介して、通信網の参加装置５０５に緊急通報を送信する。参加装置５０５は、例えばネットワークサーバであり、これは、例えば警察又は消防隊によって運営されている。
【００９２】
緊急通報を送信した後、携帯電話５０３は、自動的に、携帯電話５０３の現在の位置を、通信網を介して参加装置５０５に送信する。
【００９３】
従って、参加装置５０５又はその運営者、即ち、例えば警察又は消防隊は、どこにこの人物５０１がいるのかを認識することができる。これに対応して、参加装置５０５は、例えば、この人物５０１の周囲に、この人物５０１の周囲を監視するためのセンサが存在しているのか否か、乃至、この人物５０１の周囲を照明することができる照明装置が存在しているのか否かを検査する。
【００９４】
この使用状況５００においては、人物５０１の周囲に街灯５０７が存在している。参加装置５０５は、遠隔制御命令を用いて街灯５０７をスイッチオンし、この街灯は、人物５０１の周囲を明るく照明する。
【００９５】
この例示的な使用状況５００においては、さらに、人物５０１の周囲に、ビデオカメラ５０９が設けられている。参加装置５０５は、ビデオカメラ５０９を次のように、通信網を介して遠隔制御する。即ち、ビデオカメラ５０９が、人物５０１の周囲の動画を記録し、参加装置５０５に、通信網を介して送信するように遠隔制御する。
【００９６】
従って、例えば、警察又は消防隊は、人物５０１の周囲の視覚的な監視データを得る。
【００９７】
この例示的な使用状況５００においては、さらに、衛星５１１が、人物５０１の周囲を監視することができる。その限りにおいては、参加装置５０５は衛星５１１を次のように遠隔制御する。即ち、衛星５１１が人物５０１の周囲を監視し、対応する監視データを参加装置５０５に送信するように遠隔制御する。即ち、この使用状況５００においては、人物５０１の周囲は衛星によって監視される。
【００９８】
即ち、本発明に係る構想は特に、緊急通報の送信後に自動的にさらに、人物識別子、例えば発信者データが、既に緊急通報が送信された通信網の参加装置に送信されるという着想に基づいている。
【００９９】
特に、位置データが、緊急通報の送信後に、自動的に、通信網の参加装置に送信される。位置データは、移動端末装置の現在の位置に対応する。
【０１００】
別の実施形態においては、移動端末装置へのリモートアクセスのための、通信網の参加装置と移動端末装置とのネットワーク化が提供される。この場合には、例えば、緊急通報の送信後、通信網を介した端末装置と参加装置との間の通信接続が保持される。
【０１０１】
ある実施形態においては、例えばセンサデータ、例えばビデオデータ又は動画を検出する乃至読み出すために、通信網の参加装置は、通信接続を介して移動端末装置にアクセスする、乃至、このようなセンサデータを検出する乃至読み出す。
【０１０２】
ある実施形態においては、緊急通報が送出された後、移動端末装置の１つ又は複数のカメラ、例えばビデオカメラが起動される、特に自動的に起動される。
【０１０３】
ある実施形態においては、１つ又は複数のカメラによって、移動端末装置の周囲の画像、特に動画（ムービー）が記録される。
【０１０４】
別の実施形態においては、記録された画像乃至動画（ムービー）が、通信網の参加装置に送信又は伝送される。この伝送は、例えば自動で、又は、例えば、移動端末装置の使用者によるイネーブル化後にはじめて、実行される。
【０１０５】
これによって、例えば、監督機関又は緊急サービス、例えば消防隊又は警察に、緊急時に重要な情報が迅速かつ効率的に提供される。
【０１０６】
ある実施形態においては、移動端末装置の位置乃至人物識別子に基づいて、監督機関によって、インフラストラクチャを介してさらなる情報が特定される、乃至、別の行動が誘発される。
【０１０７】
さらなる情報の例は、例えば、移動端末装置の周囲に存在する監視カメラのデータを含む。即ち、例えば公的なインフラストラクチャセンサ、例えばビデオカメラ及び／又は衛星を介して、移動端末装置の周囲、即ち、特に移動端末装置の位置が監視される。
【０１０８】
行動は、例えば、移動端末装置の周囲における光条件のスイッチオン乃至変化を含む。例えば、１つの街灯又は複数の街灯がスイッチオンされる。
【０１０９】
例えば、行動は、緊急サービスを、移動端末装置の現在の位置に送ることを含む。
【０１１０】
ある実施形態においては、緊急通報の送信に対して付加的に、参加装置に、ブロードキャスト緊急通報が、上述した通信網を介して乃至別の通信網を介して送信される。
【０１１１】
別の通信網は、例えば、上述した通信網と同様に構成されている。
【０１１２】
従って、例えば、私的なＷＬＡＮ通信網を介して、ブロードキャスト緊急通報が送信される。
【０１１３】
このブロードキャスト緊急通報は、例えば、局部的な緊急通報と称される。この局部的な緊急通報は、例えば、別の端末装置、例えば移動端末装置、例えば携帯電話乃至自動車乃至緊急通報を送出した移動端末装置の周囲に存在するインフラストラクチャ端末装置によって受信される。これに対応して、この場合、この別の端末装置の利用者又は運営者は、例えば、さらなる情報を受け取ることができ、例えば、移動端末装置の周囲の動画を受け取る、乃至、移動端末装置の人物を救助することができる。
【０１１４】
ある実施形態においては、この別の端末装置は、併せて緊急時ＩＤの送信も受け取る。この緊急時ＩＤによって、監督機関は、例えば、この別の端末装置を特定する情報にアクセスすることができる。この緊急時ＩＤは、例えば、移動端末装置によって同様に、監督機関に送信される。
【０１１５】
ある実施形態においては、移動端末装置の使用者は、どのデータが参加装置に伝達されるのかを調整することができる。即ち、例えば、使用者は、ビデオカメラが自動的に画像を記録するか否かを決定することができる。
【０１１６】
本発明に係る構想は、特に、公的な通信網乃至私的な通信網において使用され得る。
【０１１７】
本発明に係る構想は、例えば、緊急通報を誘発した出来事及び移動端末装置の周囲に関する迅速で広範囲に及ぶ情報が提供されるという利点を有している。
【０１１８】
本発明に係る構想のさらなる利点は、特に、人物識別子乃至現在の位置を使用して、発信者の情報が検証可能である、ということである。従って、例えば、例えば意図的に又は意図的にではなく、移動端末装置に入力された誤った情報によって、対応を誤ってしまうことが回避される。例えば、さらなる利点は、これによって、不利な結果が阻止可能である、ということである。
【図１】
2018113685.tif 000003
【図２】
2018113685.tif 000004
【図３】
2018113685.tif 000005
【図４】
2018113685.tif 000006
【図５】
2018113685.tif 000007
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
端末装置識別子を有している移動端末装置（２０１，５０３）の動作方法であって、
前記移動端末装置（２０１，５０３）を用いて通信網を介して送出された、前記通信網の参加装置（４０３）への緊急通報に対応して、前記移動端末装置（２０１，５０３）の現在の位置及び／又は前記端末装置識別子に割り当てられている人物識別子が、前記通信網を介して前記参加装置（４０３）に自動的に送信される（１０１）、
端末装置識別子を有している移動端末装置（２０１，５０３）の動作方法。
【請求項２】
前記緊急通報の送信後、前記通信網を介した前記端末装置と前記参加装置（４０３）との間の通信接続が保持される、請求項１に記載の方法。
【請求項３】
前記移動端末装置（２０１，５０３）は、カメラを含み、前記カメラは、前記緊急通報の送信後、画像を記録する、請求項１又は２に記載の方法。
【請求項４】
前記カメラは、ビデオカメラであり、前記画像は、動画である、請求項３に記載の方法。
【請求項５】
前記画像は、前記移動端末装置（２０１，５０３）によって、自動的に、又は、手動でのイネーブル化後にはじめて、前記参加装置（４０３）に前記通信網を介して送信される、請求項３又は４に記載の方法。
【請求項６】
前記移動端末装置（２０１，５０３）は、マイクを含み、前記緊急通報が送信された後に、当該マイクによって、自動的に、又は、手動でのイネーブル化後にはじめて、前記移動端末装置（２０１，５０３）の周囲の音が記録され、
前記記録に対応するオーディオデータが、前記通信網を介して前記参加装置（４０３）に送信される、請求項１から５までのいずれか１項に記載の方法。
【請求項７】
前記緊急通報の送信後、前記移動端末装置（２０１，５０３）によって、ブロードキャスト緊急通報が前記通信網を介して及び／又は別の通信網を介して送信され、
前記ブロードキャスト緊急通報は、前記現在の位置及び／又は前記端末装置識別子及び／又は前記人物識別子を含む、請求項１から６までのいずれか１項に記載の方法。
【請求項８】
前記通信網は、私的な通信網である、請求項１から７までのいずれか１項に記載の方法。
【請求項９】
移動端末装置（２０１，５０３）及び通信網の参加装置（４０３）上で実行されるときに、請求項１から８のいずれか１項に記載の方法を実施するためのプログラムコードを含む、
コンピュータプログラム。
【請求項１０】
請求項９に記載のコンピュータプログラムを実行するように構成されている、移動端末装置（２０１，５０３）。
【請求項１１】
通信網を介してアクセス可能な参加装置（４０３）を有している緊急通報システムの動作方法であって、
端末装置識別子を有している移動端末装置（２０１，５０３）から前記通信網を介して前記参加装置（４０３）へ送出された緊急通報が、前記参加装置（４０３）によって受信された後に、前記移動端末装置（２０１，５０３）からの、前記移動端末装置（２０１，５０３）の現在の位置及び／又は前記端末装置識別子に割り当てられている人物識別子が、前記参加装置（４０３）によって受信される（３０１）、
通信網を介してアクセス可能な参加装置（４０３）を有している緊急通報システムの動作方法。
【請求項１２】
前記移動端末装置（２０１，５０３）の前記現在の位置の受信時に、前記移動端末装置（２０１，５０３）の周囲が、前記移動端末装置（２０１，５０３）とは別の監視装置（５０９，５１１）によって監視される、請求項１１に記載の方法。
【請求項１３】
前記監視装置（５０９，５１１）は、１つ又は複数の監視要素を含み、前記監視要素は、センサ及び／又は衛星（５１１）を含む、請求項１２に記載の方法。
【請求項１４】
前記センサは、ビデオセンサ（５０９）である、請求項１３に記載の方法。
【請求項１５】
前記移動端末装置（２０１，５０３）の前記現在の位置の受信時に、前記移動端末装置（２０１，５０３）の周囲が、前記移動端末装置（２０１，５０３）とは別の照明装置（５０７）によって照明される、請求項１１から１４までのいずれか１項に記載の方法。
【請求項１６】
前記別の照明装置（５０７）は、街灯（５０７）を含む、請求項１５に記載の方法。
【請求項１７】
前記移動端末装置（２０１，５０３）は、前記緊急通報の送信後に、前記通信網を介して及び／又は別の通信網を介してブロードキャスト緊急通報を送信し、
前記ブロードキャスト緊急通報は、前記現在の位置及び／又は前記端末装置識別子及び／又は前記人物識別子を含み、
前記緊急通報に関係し、かつ、前記ブロードキャスト緊急通報の１つ又は複数の受信装置から前記通信網の前記参加装置（４０３）に前記通信網を介して送信された情報が前記参加装置（４０３）によって受信される、請求項１１から１６までのいずれか１項に記載の方法。
【請求項１８】
前記参加装置（４０３）は、前記移動端末装置（２０１，５０３）によって送信されたデータを記憶する、請求項１１から１７までのいずれか１項に記載の方法。
【請求項１９】
前記データは、緊急通報、オーディオデータ、ビデオデータ、動画、位置、端末装置識別子、人物識別子のうちの少なくとも１つを含む、請求項１８に記載の方法。
【請求項２０】
移動端末装置（２０１，５０３）及び通信網の参加装置（４０３）上で実行されるときに、請求項１１から１９のいずれか１項に記載の方法を実施するためのプログラムコードを含む、
コンピュータプログラム。
【請求項２１】
請求項２０に記載のコンピュータプログラムを実行するように構成されている、
緊急通報システム（４０１）。
【外国語明細書】
2018113685.tif 000008
2018113685.tif 000009
2018113685.tif 000010
2018113685.tif 000011
2018113685.tif 000012
2018113685.tif 000013
2018113685.tif 000014
2018113685.tif 000015
2018113685.tif 000016
2018113685.tif 000017
2018113685.tif 000018
2018113685.tif 000019
2018113685.tif 000020
2018113685.tif 000021
2018113685.tif 000022
2018113685.tif 000023
2018113685.tif 000024
2018113685.tif 000025
2018113685.tif 000026
2018113685.tif 000027
2018113685.tif 000028
2018113685.tif 000029